(57)【要約】【課題】車体のフロア等の構造体上に載置され、乗り心地の良い車両用シートを提供する。【解決手段】本発明は、車両の構造体上に載置されるシートクッション(2)を備えた車両用シート(1)であって、シートクッションは、所定の弾性変形特性及び振動減衰特性を有するシートクッション本体(12)と、圧縮率に対する初期圧縮荷重の増加率がシートクッション本体よりも小さい三次元網状構造体(14)と、を有し、三次元網状構造体は、シートクッション本体と車両の構造体との間に、乗員が着座する座面(2a)の下方に配置されると共に、三次元網状構造体は、所定の圧縮率まで予圧縮が加えられた状態で配置されていることを特徴としている。【選択図】図２
2019025992.tif 000002
【特許請求の範囲】
【請求項１】
車両の構造体上に載置されるシートクッションを備えた車両用シートであって、
上記シートクッションは、
所定の弾性変形特性及び振動減衰特性を有するシートクッション本体と、
圧縮率に対する初期圧縮荷重の増加率が上記シートクッション本体よりも小さい三次元網状構造体と、を有し、
上記三次元網状構造体は、上記シートクッション本体と上記車両の構造体との間に、乗員が着座する座面の下方に配置されると共に、上記三次元網状構造体は、所定の圧縮率まで予圧縮が加えられた状態で配置されていることを特徴とする車両用シート。
【請求項２】
上記シートクッション本体には、上記座面の反対側に上記三次元網状構造体を収容するための収容凹部が設けられ、上記三次元網状構造体は、上記収容凹部に収容されることにより、上記所定の圧縮率まで予圧縮が加えられる請求項１記載の車両用シート。
【請求項３】
さらに、圧縮用部材を有し、上記三次元網状構造体は、上記圧縮用部材を取り付けることにより、上記所定の圧縮率まで予圧縮が加えられる請求項１記載の車両用シート。
【請求項４】
上記シートクッション本体は、その座面の部分の厚さが、上記三次元網状構造体の厚さの１倍乃至５倍である請求項１乃至３の何れか１項に記載の車両用シート。
【請求項５】
上記三次元網状構造体は、厚さが５％乃至１０％予圧縮された状態で上記シートクッション本体と上記車両の構造体との間に配置される請求項１乃至４の何れか１項に記載の車両用シート。
【発明の詳細な説明】
【技術分野】
【０００１】
本発明は車両用シートに関し、特に、車両の構造体上に載置されるシートクッションを備えた車両用シートに関する。
【背景技術】
【０００２】
特開２０１４−５７６３４号公報（特許文献１）には車両用シートが記載されている。この車両用シートは、クッションパッドを備え、このクッションパッドは、着座者の坐骨を受ける部位に配置される発泡樹脂体と、下面から内部に向けてインサート状に配置された形態のインサート状構造体を有している。このように、車両用シートに関しては乗り心地等を改善するために種々の工夫が従来から施されてきた。
【０００３】
車両用シートにおいては、車両から伝わる振動を低減すべく、シートクッションの弾性変形特性（バネ特性）や、振動減衰特性（ダンパー特性）に種々のチューニングが施されている。ここで、弾性変形特性を有する金属製のバネと、弾性変形特性及び振動減衰特性を有する発泡ウレタン等のクッション材とを組み合わせた構造のシートクッションにおいては、金属製のバネの変更により、弾性変形特性だけを変化させることができる。このため、金属製のバネとクッション材とを組み合わせた構造のシートクッションにおいては比較的チューニングの自由度が広く、チューニングにより所望の乗り心地を有するシートクッションを設計することは比較的容易である。
【先行技術文献】
【特許文献】
【０００４】
【特許文献１】特開２０１４−５７６３４号公報
【発明の概要】
【発明が解決しようとする課題】
【０００５】
これに対して、車体のフロア等の構造体上に直接取り付けられるタイプの車両用シートにおいては、通常、金属製のバネを備えていないため、シートクッションの弾性変形特性を独立して調整することができない。従って、このような構造のシートクッションにおいては、クッション材の選定によりシートクッションの弾性変形特性及び振動減衰特性をチューニングすることになる。この場合には、クッション材の変更により弾性変形特性と振動減衰特性が同時に変化してしまうため、複数のクッション材を組み合わせたとしても、所望の乗り心地を有するシートクッションの設計が困難であるという問題がある。
【０００６】
従って、本発明は、車体のフロア等の構造体上に載置され、乗り心地の良い車両用シートを提供することを目的としている。
【課題を解決するための手段】
【０００７】
上述した課題を解決するために、本発明は、車両の構造体上に載置されるシートクッションを備えた車両用シートであって、シートクッションは、所定の弾性変形特性及び振動減衰特性を有するシートクッション本体と、圧縮率に対する初期圧縮荷重の増加率がシートクッション本体よりも小さい三次元網状構造体と、を有し、三次元網状構造体は、シートクッション本体と車両の構造体との間に、乗員が着座する座面の下方に配置されると共に、三次元網状構造体は、所定の圧縮率まで予圧縮が加えられた状態で配置されていることを特徴としている。
【０００８】
乗り心地の良い車両用シートを得るには、乗員の体重を支持する座面に適正な弾性変形特性（バネ特性）、及び振動減衰特性（ダンパー特性）を与える必要がある。本件発明者の研究によれば、車両用シートのシートクッションを、発泡ウレタン等の粘弾性体のみで構成した場合には、乗員の体重を支持する弾性力に比して減衰力が過大なものとなり、乗り心地の悪いシートクッションとなってしまう。
【０００９】
一方、近年、樹脂製の細長い線材を複雑に絡み合わせた三次元網状構造を有するクッション材が広く流通するようになっている。このような三次元網状構造体は、その圧縮率−圧縮荷重曲線が発泡ウレタン等に比してヒステリシスロスの小さいものとなっており、バネに近い特性を備えている。そこで、本件発明者は、発泡ウレタン等のクッション材と、三次元網状構造体を組み合わせて使用することにより、減衰力が過大となる問題を解決できると考えた。しかしながら、市場で入手可能な三次元網状構造体は、圧縮率に対する初期圧縮荷重の増加率（変形初期のバネ定数）が小さく、これを単純にシートクッションの材料として使用するとヘタリ感が出てしまい、乗り心地の悪いものになってしまうという課題に直面した。
【００１０】
上記のように構成された本発明によれば、シートクッション本体と車両の構造体との間に、乗員が着座する座面の下方に三次元網状構造体が配置され、三次元網状構造体は、所定の圧縮率まで予圧縮が加えられた状態で配置されている。このため、三次元網状構造体は、シートクッションの変形の初期から所定のバネ力を発揮することができ、三次元網状構造体を使用してもヘタリ感が出ることがない。また、三次元網状構造体を、弾性変形特性及び振動減衰特性を有するシートクッション本体と組み合わせて使用することにより、減衰力が過大になるのを回避しながら、バネ力を増強することができる。その結果、適正な弾性変形特性及び振動減衰特性を有するシートクッションを備えた車両用シートを構成することが可能になる。
【００１１】
本発明において、好ましくは、シートクッション本体には、座面の反対側に三次元網状構造体を収容するための収容凹部が設けられ、三次元網状構造体は、収容凹部に収容されることにより、所定の圧縮率まで予圧縮が加えられる。
【００１２】
このように構成された本発明によれば、シートクッション本体に設けられた収容凹部に収容されることにより、所定の圧縮率まで三次元網状構造体に予圧縮が加えられるので、予圧縮を加えるための特別な部材を使用することなく三次元網状構造体に予圧縮を加えることができる。
【００１３】
本発明において、好ましくは、さらに、圧縮用部材を有し、三次元網状構造体は、圧縮用部材を取り付けることにより、所定の圧縮率まで予圧縮が加えられる。
このように構成された本発明によれば、圧縮用部材を取り付けることにより、三次元網状構造体に予圧縮が加えられるので、予圧縮の圧縮率を任意に設定することができ、圧縮率を容易に変更することができる。
【００１４】
本発明において、好ましくは、シートクッション本体は、その座面の部分の厚さが、三次元網状構造体の厚さの１倍乃至５倍である。
このように構成された本発明によれば、シートクッション本体の座面の部分の厚さが、三次元網状構造体の厚さの１倍乃至５倍であるので、シートクッション本体が発生する減衰力と、三次元網状構造体が発生するバネ力が適度にバランスし、乗り心地の良い車両用シートを構成することができる。
【００１５】
本発明において、好ましくは、三次元網状構造体は、厚さが５％乃至１０％予圧縮された状態でシートクッション本体と車両の構造体との間に配置される。
このように構成された本発明によれば、厚さが５％乃至１０％予圧縮された三次元網状構造体がシートクッション本体と車両の構造体との間に配置されるので、シートクッション本体が発生するバネ力と、三次元網状構造体が発生するバネ力を概ね一致させることができる。この結果、着座した乗員に、２つの異なる素材を組み合わせたことによる違和感を与えることがなく、乗り心地の良い車両用シートを構成することができる。
【発明の効果】
【００１６】
本発明によれば、車体のフロア等の構造体上に載置される乗り心地の良い車両用シートを提供することができる。
【図面の簡単な説明】
【００１７】
【図１】本発明の実施形態による車両用シート全体を示す斜視図である。
【図２】本発明の実施形態による車両用シートの分解斜視図である。
【図３】本発明の実施形態による車両用シートにおいて、シートクッション本体への、三次元網状構造体の取り付けを示す分解斜視図である。
【図４】図３のIV−IV断面に沿うシートクッションの断面図であり、（ａ）シートクッション本体にベース部材及び三次元網状構造体を取り付ける前の状態、及び（ｂ）シートクッション本体にベース部材及び三次元網状構造体を取り付けた後の状態を示す。
【図５】本発明の実施形態による車両用シートにおいて、乗員が着座した状態を示すシートクッションの断面図である。
【図６】本発明の実施形態による車両用シートにおいてシートクッション本体として使用されている発泡ウレタン、及び三次元網状構造体として使用されている部材の圧縮荷重−圧縮率曲線を示すグラフである。
【図７】車両用シートを載置する車両のフロアと座面との間の振動伝達率を、本発明の実施形態による車両用シートと、従来の車両用シートで比較したグラフである。
【発明を実施するための形態】
【００１８】
次に、添付図面を参照して、本発明の好ましい実施形態による車両用シートを説明する。
図１は、本発明の実施形態による車両用シート全体を示す斜視図である。図２は、本実施形態の車両用シートの分解斜視図である。
【００１９】
本実施形態による車両用シート１は、車体のフロア等の構造体上に固定されるシートである。図１に示すように、本発明の実施形態による車両用シート１は、シートクッション２と、シートバック４と、ヘッドレスト６と、を有する。なお、本実施形態の車両用シート１は、車両の後部座席用の二人掛けのシートであるが、後部座席以外の車両用シートにも本発明を適用することができる。
【００２０】
図２に示すように、シートバック４は乗員の上半身を支持するように設けられ、構造的強度を付与するための金属製のフレーム（図示せず）と、これを覆うように配置された弾性変形特性（バネ特性）及び振動減衰特性（ダンパー特性）を有する発泡ウレタン製の部材から構成されている。
ヘッドレスト６は各乗員の頭部を支持するように設けられ、金属製のフレーム（図示せず）と、これを覆うように配置された弾性変形特性（バネ特性）及び振動減衰特性（ダンパー特性）を有する発泡ウレタン製の部材から構成されている。
シートクッション２は、図２に示すように、ベース部材８と、シートバック４から延びるワイヤ１０と、クッション性を有するシートクッション本体１２及び三次元網状構造体１４を有する。
【００２１】
ベース部材８は、ＥＰＰ（ビーズ法発泡ポリプロピレン）製の、シートクッション２の基部を形成する部材であり、シートクッション２の側縁部及び前縁部において、シートクッション本体１２の下側に配置されている。このベース部材８は、軽量であると共に、実質的に変形することが想定されていない。また、このベース部材８は、車両用シート１に着座する２人の乗員の臀部を夫々支持する２つの座面２ａの下方、及び各座面２ａの間の部分がくり抜かれており、各座面２ａの下方には配置されていないので、乗員の乗り心地には実質的に関係しない。
ワイヤ１０は、シートバック４からベース部材８を取り囲むように延びる金属製のワイヤであるが、このワイヤ１０も、乗員の乗り心地には実質的に関係しない。
【００２２】
シートクッション本体１２は、ベース部材８の上に、これを覆うように配置された発泡ウレタン製の部材であり、弾性変形特性（バネ特性）及び振動減衰特性（ダンパー特性）を備えている。シートクッション本体１２の上面には、乗員が夫々着座する２つの座面２ａが設けられており、シートクッション本体１２は、各座面２ａの部分が低く、それらの間の部分、及び側縁部及び前縁部が高くなっている。
三次元網状構造体１４は、シートクッション本体１２の座面２ａの下側に埋め込まれたクッション性のある平板状の部材であり、弾性変形特性（バネ特性）及び振動減衰特性（ダンパー特性）を備えている。この三次元網状構造体１４は、車両用シート１を設置する車両の構造体（フロア）とシートクッション本体１２との間に、乗員が着座する座面２ａの下方に配置されている。
【００２３】
次に、図３乃至図５を参照して、シートクッション本体１２に対する三次元網状構造体１４の取り付け構造を説明する。
図３は、シートクッション本体１２への、三次元網状構造体１４の取り付けを示す分解斜視図である。図４は、図３のIV−IV断面に沿うシートクッション２の断面図であり、（ａ）シートクッション本体１２にベース部材８及び三次元網状構造体１４を取り付ける前の状態、及び（ｂ）シートクッション本体１２にベース部材８及び三次元網状構造体１４を取り付けた後の状態を示す。図５は、乗員が着座した状態を示すシートクッション２の断面図である。
【００２４】
図３及び図４に示すように、ＥＰＰ製のベース部材８は、発泡ウレタン製のシートクッション本体１２の下側面に形成されたベース部材凹部１２ａに嵌め込まれている。また、図３に示すように、シートクッション２の座面２ａの裏側の部分にはベース部材８は配置されておらず、このため、ベース部材８は車両用シート１の座り心地には実質的に影響を与えない。さらに、シートクッション２の座面２ａの裏側の部分には、シートクッション本体１２の下側面に、収容凹部である網状構造体凹部１２ｂが形成されており、三次元網状構造体１４は、網状構造体凹部１２ｂに嵌め込まれることによりシートクッション本体１２に取り付けられる。
【００２５】
また、図３及び図４（ａ）に示すように、三次元網状構造体１４は、網状構造体凹部１２ｂに嵌め込まれる前は平板状に形成されている。三次元網状構造体１４は嵌め込まれることにより、網状構造体凹部１２ｂの形状に沿って「く」の字形に、下方に向けて凸型に折れ曲がる（図４（ｂ））。また、網状構造体凹部１２ｂは嵌め込まれる三次元網状構造体１４の初期の寸法（力を加えていない状態における寸法）よりも小さく形成されており、網状構造体凹部１２ｂに嵌め込まれることにより、三次元網状構造体１４は、所定の圧縮率まで予圧縮が加えられた状態で配置される。
【００２６】
さらに、図５はシートクッション２の断面図であり、乗員Ｄが車両用シート１に着座していない状態を実線で、着座した状態を想像線で示している。図５に示すように、乗員Ｄが着座していないとき実線に示す状態にあったシートクッション２は、乗員Ｄが着座することにより、想像線に示す状態に変形する。これに伴い、シートクッション２の座面２ａを構成する弾性変形特性を有するシートクッション本体１２及び三次元網状構造体１４も圧縮変形される。ここで、本実施形態においては、乗員Ｄが着座していない状態の、座面２ａの部分におけるシートクッション本体１２の厚さＨは、座面２ａの部分における三次元網状構造体１４の厚さｈの約４倍である。好ましくは、シートクッション本体１２の厚さＨを、三次元網状構造体１４の厚さｈの約１倍乃至約５倍に構成する。
【００２７】
次に、図６を参照して、発泡ウレタン製のシートクッション本体１２、及び三次元網状構造体１４の弾性変形特性及び振動減衰特性を説明する。
図６は、本実施形態の車両用シート１においてシートクッション本体１２として使用されている発泡ウレタン、及び三次元網状構造体１４として使用されている部材の圧縮荷重−圧縮率曲線のグラフであり、縦軸に圧縮荷重、横軸に圧縮率を示している。即ち、図６の実線は、平板状に形成した発泡ウレタンに直径２００ｍｍの円盤を押し当てたときの圧縮荷重［Ｎ］と圧縮率［％］の関係を示し、破線は平板状に形成した三次元網状構造体に直径２００ｍｍの円盤を押し当てたときの圧縮荷重［Ｎ］と圧縮率［％］の関係を示している。
【００２８】
まず、図６の実線に示す発泡ウレタンにおいては、圧縮荷重を加えると共に圧縮率が増加し、圧縮率が７０％程度まで増加すると、圧縮荷重−圧縮率曲線が急激に立ち上がる（圧縮荷重を増加させても圧縮率があまり増加しなくなる）。次いで、圧縮率約７５％の状態から圧縮荷重を減少させると、圧縮率は緩やかに低下する（圧縮荷重を減少させても急激に膨張しない低反発特性）。このように、発泡ウレタンは、圧縮荷重の負荷時と除荷時の圧縮荷重−圧縮率曲線が閉曲線を描く、ヒステリシス特性を有しており、弾性変形特性及び振動減衰特性を備えている。なお、弾性変形特性のみを備え、振動減衰特性を備えていない弾性部材では負荷時と除荷時の圧縮荷重−圧縮率曲線が一致し、閉曲線を描かない。また、ヒステリシス特性を示す振動減衰特性を有する部材においては、圧縮荷重−圧縮率曲線が描く閉曲線によって囲まれた面積が、１回の圧縮、膨張によって消費されるエネルギーに対応する。
【００２９】
次に、本実施形態の車両用シート１において三次元網状構造体１４として使用されている部材は、線状に押し出し成形されたポリエステルエラストマーを三次元的に網状に絡み合わせて所定の形態に形成した構造体である。例えば、東洋紡株式会社から商品名「ブレスエア（登録商標）」として販売されている部材を三次元網状構造体１４として使用することができる。
【００３０】
図６の破線は、本実施形態において三次元網状構造体１４として使用されている部材の圧縮荷重−圧縮率曲線を示し、この部材も発泡ウレタンと同様に、圧縮荷重の負荷時と除荷時の圧縮荷重−圧縮率曲線が閉曲線を描く、ヒステリシス特性を有している。しかしながら、三次元網状構造体は、圧縮荷重−圧縮率曲線の立ち上がりの傾斜が発泡ウレタンよりも緩やかであり、圧縮率約６０％付近から傾斜が急になり（圧縮荷重を増加させても圧縮率があまり増加しなくなって）、発泡ウレタンの圧縮荷重−圧縮率曲線と交差している。また、三次元網状構造体では、圧縮荷重−圧縮率曲線が描く閉曲線によって囲まれる面積が発泡ウレタンよりも小さくなっている。
【００３１】
このように、三次元網状構造体は、圧縮率に対する初期圧縮荷重の増加率が発泡ウレタンよりも小さく（圧縮率０％から圧縮荷重が増加する際の傾きが発泡ウレタンよりも緩やか）、振動減衰能（１回の圧縮、膨張で消費するエネルギー）も発泡ウレタンよりも小さくなっている。即ち、三次元網状構造体は、発泡ウレタンよりもヒステリシスロスが小さい、高反発クッション素材であるということができる。発泡ウレタンと三次元網状構造体の間の、これらの特性の相違から、発泡ウレタン製のシートクッション本体１２に三次元網状構造体１４を組み合わせることにより、所望の弾性変形特性と振動減衰特性を兼ね備えたシートクッション２を構成することが可能になる。
【００３２】
また、上記のように、三次元網状構造体１４は、シートクッション本体１２に対して初期圧縮荷重の増加率が小さいため、そのままの状態で使用するとシートクッション２にヘタリ感が出てしまう。そこで、本実施形態においては、三次元網状構造体１４を、シートクッション本体１２の網状構造体凹部１２ｂに嵌め込むことにより、三次元網状構造体１４に予圧縮を加えて使用している。本実施形態において、三次元網状構造体１４を網状構造体凹部１２ｂに嵌め込むことにより、三次元網状構造体１４は約８％予圧縮される。好ましくは、約５％乃至約１０％の予圧縮を加えた状態で三次元網状構造体１４を使用する。
【００３３】
即ち、三次元網状構造体１４に予圧縮を加えることにより、三次元網状構造体の圧縮荷重−圧縮率曲線（破線）は、図６において圧縮率約５％〜約１０％分左側に平行移動される。この結果、圧縮の初期における三次元網状構造体の圧縮荷重−圧縮率曲線が発泡ウレタン（実線）に近くなり、２種類の素材を組み合わせたことによるクッション性の違和感を抑制することができる。また、上記のように、三次元網状構造体は、発泡ウレタンよりもヒステリシスロスが小さいので、発泡ウレタン製のシートクッション本体１２と組み合わせて使用することにより、減衰力が過大になるのを回避しながら、バネ力を増強することができる。
【００３４】
次に、図７を参照して、本発明の実施形態による車両用シート１の作用を説明する。
図７は、車両用シートを載置する車両のフロアと座面との間の振動伝達率を、本実施形態の車両用シートと、従来の車両用シートで比較したグラフである。
【００３５】
図７に示すグラフは、車両用シートを載置したフロアに加えられた振動が、座面に伝達される度合いを各周波数に対して示したグラフであり、本実施形態の車両用シート１における振動伝達率を実線で、従来の車両用シートにおける振動伝達率を破線で示している。図７に示すように、本実施形態の車両用シート１、従来の車両用シートとも、約５〜６Ｈｚにおいて振動伝達率がピークをもち、この周波数において、フロアの振動が座面に強く伝達されてしまう。しかしながら、従来の車両用シートにおける振動伝達率のピーク値が１５．５であるのに対し、本実施形態の車両用シート１ではピーク値は１．３７であり、本実施形態の車両用シート１では振動伝達率が１／１０以下に劇的に低減されている。また、ピーク値以外の周波数においても、概ね、本実施形態の車両用シート１の振動伝達率が従来の車両用シートの振動伝達率を下回っており、本実施形態の車両用シート１では大幅に乗り心地が改善されていることがわかる。
【００３６】
本発明の実施形態の車両用シート１によれば、シートクッション本体１２と車両の構造体との間に、乗員が着座する座面２ａの下方に三次元網状構造体１４が配置され（図２）、三次元網状構造体１４は、所定の圧縮率まで予圧縮が加えられた状態で配置されている。このため、三次元網状構造体１４は、シートクッション２の変形の初期から所定のバネ力を発揮することができ、三次元網状構造体１４を使用してもヘタリ感が出ることがない。また、三次元網状構造体１４を、弾性変形特性及び振動減衰特性を有するシートクッション本体１２と組み合わせて使用することにより、減衰力が過大になるのを回避しながら、バネ力を増強することができる。
【００３７】
また、本実施形態の車両用シート１によれば、シートクッション本体１２に設けられた収容凹部である網状構造体凹部１２ｂに収容されることにより（図４）、所定の圧縮率まで三次元網状構造体１４に予圧縮が加えられるので、予圧縮を加えるための特別な部材を使用することなく三次元網状構造体１４に予圧縮を加えることができる。
【００３８】
さらに、本実施形態の車両用シート１によれば、シートクッション本体１２の座面２ａの部分の厚さが、三次元網状構造体１４の厚さの約４倍であるので、シートクッション本体１２が発生する減衰力と、三次元網状構造体１４が発生するバネ力が適度にバランスし、乗り心地の良い車両用シート１を構成することができる。また、シートクッション本体の座面の部分の厚さは、三次元網状構造体の厚さの約１倍乃至約５倍であることが望ましい。
【００３９】
また、本実施形態の車両用シート１によれば、厚さが約８％予圧縮された三次元網状構造体１４がシートクッション本体１２と車両の構造体との間に配置されるので、シートクッション本体１２が発生するバネ力と、三次元網状構造体１４が発生するバネ力を概ね一致させることができる。この結果、着座した乗員に、２つの異なる素材を組み合わせたことによる違和感を与えることがなく、乗り心地の良い車両用シートを構成することができる。また、三次元網状構造体は厚さが約５％乃至約１０％予圧縮された状態で配置することが好ましい。
【００４０】
以上、本発明の好ましい実施形態を説明したが、上述した実施形態に種々の変更を加えることができる。特に、上述した実施形態においては、三次元網状構造体１４を網状構造体凹部１２ｂに嵌め込むことにより予圧縮が加えられていたが、変形例として、予圧縮を加えるための別の圧縮用部材を設けることもできる。例えば、圧縮用部材として、圧縮を加えない状態での三次元網状構造体の寸法よりも小さな袋体（図示せず）を準備しておき、この袋体に三次元網状構造体を押し込むことにより予圧縮を加えることもできる。なお、圧縮用部材としては、袋状の布製部材の他、筒状又は帯状の布や、他の素材で形成された袋状、筒状又は帯状の部材を圧縮用部材として使用することができる。本変形例によれば、圧縮用部材を取り付けることにより、三次元網状構造体に予圧縮が加えられるので、予圧縮の圧縮率を任意に設定することができ、圧縮率を容易に変更することができる。
【符号の説明】
【００４１】
１    車両用シート
２    シートクッション
２ａ  座面
４    シートバック
６    ヘッドレスト
８    ベース部材
１０    ワイヤ
１２    シートクッション本体
１２ａ  ベース部材凹部
１２ｂ  網状構造体凹部（収容凹部）
１４    三次元網状構造体
【図１】
2019025992.tif 000003
【図２】
2019025992.tif 000004
【図３】
2019025992.tif 000005
【図４】
2019025992.tif 000006
【図５】
2019025992.tif 000007
【図６】
2019025992.tif 000008
【図７】
2019025992.tif 000009